(57)【特許請求の範囲】
【請求項１】
左右側縁に成形部を備えた流れ方向に定尺な縦葺外装材を接続部材を介して下地上に敷設する縦葺外装構造にあって、
前記縦葺外装材の左右側縁の成形部裏面には流れ方向に沿って流水空間を有する保持部材を配し、
前記接続部材は、両端部が前記保持部材の流水空間に臨む排水部と、縦葺外装材の流れ方向の端部を保持する取付部と、縦葺外装材の前記端部を覆う化粧部からなり、
前記縦葺外装材の流れ方向端部の少なくとも一方を前記接続部材の取付部に取り付けると共に、この縦葺外装材の流れ方向に隣り合う両端部を化粧部で被覆して接続したことを特徴とする縦葺外装構造。
【請求項２】
取付部は、排水部内に形成された取付片からなることを特徴とする請求項１記載の縦葺外装構造。
【請求項３】
取付部は、流れ方向に開口する溝部からなることを特徴とする請求項１または２記載の縦葺外装構造。
【請求項４】
接続部材は、排水部内に流れ方向に交わる方向に起立部を形成したことを特徴とする請求項１〜３のいずれか１項記載の縦葺外装構造。
【請求項５】
縦葺外装材の裏面には、左右端部が流水空間内に臨む下地材を配したことを特徴とする請求項１〜４のいずれか１項記載の縦葺外装構造。
【発明の詳細な説明】
【０００１】
【発明の属する技術分野】
本発明は屋根や外壁として有用な縦葺外装構造に関する。
【０００２】
【従来の技術】
現在、縦葺外装材は、成形機を現場に持ち込んで成型しながら施工する方法と、工場で一定長さの屋根材を成型し、現場で流れ方向に接続しながら施工する方法が採られているが、前者の現場成形は、成形機を持ち込むため、スケジュール調整等、搬入路、成形機の設置場所が必要になるという問題がある。
後者は、水下側に位置する縦葺外装材の水上側端部と水上側に位置する縦葺外装材の水下側端部をプレス成形等によって加工し、重合、係止、差込、嵌合等によって接続するものが提案されている（特開平８−２６０６２７号公報、特開平８−１２０８４５号公報参照）。
しかし、上記先願は、水下側、水上側の形状が複雑になるため、成形に手間とコストがかかり、しかも、端部同士が直接的に接続されているため、成形誤差、変形・潰れ等があった場合に接続できなくなるという問題があった。また、特開平８−２６０６２７号公報に記載されたもののような重合タイプの場合、躯体に不陸等があった場合に重合部分が開く恐れがあり、その場合、その開き個所から雨水が裏面側に侵入し易くなることになる。
【０００３】
【発明が解決しようとする課題】
解決しようとする課題は、第１には、縦葺外装材を、工場生産可能で、成形手間およびコストの負担が少なく、仮に、少々の成形誤差や変形・潰れ等があっても容易に確実に施工することができ、また、不陸等があっても口開き現象が起こるようなことのない縦葺外装構造を、第２には、さらに、流れ方向の接続部分における縦葺外装材の取付け・接続作業が容易で、縦葺外装材の加工が単純で生産効率が高くコストが低い縦葺外装構造を、第３には、さらに、縦葺外装材の長手方向の接続部分における接続作業が単純且つ簡単であると共に、長手方向の熱伸縮への追従性が極めて高い縦葺外装構造を、第４には、さらに、流れ方向の接続部分に２重の排水能力を有する縦葺外装構造を、第５には、さらに、仮に、長手方向の接続部分内でオーバーフローが起きても、このオーバーフロー水を左右の縦葺外装材の接続部分を経て水下側へ排水可能である縦葺外装構造を提供することにある。
【０００４】
【課題を解決するための手段】
本発明は前記した課題を達成するため、左右側縁に成形部を備えた流れ方向に定尺な縦葺外装材を接続部材を介して下地上に敷設する縦葺外装構造にあって、前記縦葺外装材の左右側縁の成形部裏面には流れ方向に沿って流水空間を有する保持部材を配し、前記接続部材は、両端部が前記保持部材の流水空間に臨む排水部と、縦葺外装材の流れ方向の端部を保持する取付部と、縦葺外装材の前記端部を覆う化粧部からなり、前記縦葺外装材の流れ方向端部の少なくとも一方を前記接続部材の取付部に取り付けると共に、この縦葺外装材の流れ方向に隣り合う両端部を化粧部で被覆して接続したことを特徴とする。
また本発明では、取付部は、排水部内に形成された取付片からなることを特徴とする。
また本発明では、取付部は、流れ方向に開口する溝部からなることを特徴とする。
また本発明では、接続部材は、排水部内に流れ方向に交わる方向に起立部を形成したことを特徴とする。
また本発明では、縦葺外装材の裏面には、左右端部が流水空間内に臨む下地材を配したことを特徴とする。
【０００５】
本発明における縦葺外装材は、チタン合金板、ステンレス鋼板、アルミ合金板、表面化粧板、ラミネート鋼板、メッキ鋼板、銅板、真鍮板、鉛板等の公知の金属素材または複合材であって、ロール成形などによって成形される。
この縦葺外装材の概略断面は、屋根面が略平坦状である屋根意匠のように、成形部が下方に折曲した態様のものでも、屋根面に桟状部分が形成されている屋根意匠のように、成形部が上方に折曲した態様のものであっても良く、公知の断面形状の縦葺外装材であれば良い。
縦葺外装材の流れ方向の端部は、略平坦状に形成されていれば良く、その態様は、面板部と同一レベルにある態様、後記する化粧部材の上面が縦葺外装材の面板部と略同一面になるように面板部より一段低くしてある態様等がある。
縦葺外装材の流れ方向端部は、平坦状（平板状）である態様、裏面側に折り曲げ可能な係止部を形成した態様、下方側に折り曲げ可能な位置規制部を設けた態様のいずれであっても良い。この流れ方向の端部は、両端が同一形状であっても良いし、上記異なる態様の組み合わせからなる態様のものであっても良い。
縦葺外装材の係止部は、外装材の幅方向全域に設けても部分的に設けても良く、また、取付片に係止可能な態様に予め折曲しているものでも、施工時に取付片に対して係止可能に折り曲げるようにしてあるものであっても良い。
【０００６】
接続部材は、排水部、取付部、化粧部からなり、これらの各部は、一体に形成されても、別体の化粧部材に対して排水部と取付部が一体に形成されても、別体の排水部材に対して取付部と化粧部が一体に形成されても、別体の排水部材、取付部材、化粧部材として形成されるいずれの態様のものであっても良い。
排水部内に延在している取付部は、縦葺外装材の流れ方向の端部が係止或いは直止め可能な取付片とした態様、または、縦葺外装材の流れ方向の端部が挿入可能な溝部からなる態様、または、縦葺外装材の流れ方向の端部を挟持可能な態様が挙げられる。
排水部、取付部、化粧部が一体の態様としては、押し出し型材等によって予め一体化されているもの、複数の押し出し型材を嵌合、係合、接着等によって一体化させた態様、ロール成形によって形成された態様、複数のロール成形材を嵌合、係合、接着等によって一体化させた態様、また、押し出し型材とロール成形品を一体化させた態様が挙げられる。
接続部材の取付片は、接続部材の長手方向すなわち水勾配に交わる方向に連続した通し状のもの、または、ピース状のものであっても良い。
接続部材の取付片は、流れ方向に隣り合う少なくとも一方の縦葺外装材を取付け可能な形状であれば良い。その取付方法は、嵌合、係止、ビス等による直止め等の公知の取付手段であれば良く、この取付片に対して縦葺外装材の端部を係止若しくは直止め等によって取り付けることで、縦葺外装材の脱落防止、位置規制が行なえることになる。
取付片は、接続部材に一体に設けられていても、別部材の取付部材に形成されているものでも良い。
取付片を設ける場合、少なくとも１つ設ければ良く、一方の縦葺外装材端部を係止する１つの取付片であっても、水上側端部、水下側端部を個々に係止する２つの取付片であっても良い。また、取付片が一方の縦葺外装材端部とのみ係止する態様の場合、他方の縦葺外装材端部は、溝部に挿入される態様でも、化粧部材と排水部材とで挟持される態様のいずれであっても良い。
【０００７】
化粧部は、流れ方向に隣接する縦葺外装材の流れ方向端部を覆って化粧可能な態様であれば良い。また、化粧部は、前記した縦葺外装材の流れ方向の接続部の化粧の他に、縦葺外装材の流れ方向端部の押えすなわち浮き上がりを防止したり、縦葺外装材の流れ方向の熱伸縮を妨げない態様のものであっても良い。
化粧部を別部材で構成する場合、化粧部材には少なくとも一方の縦葺外装材の流れ方向端部が挿入可能な溝部を形成した態様としても良い。
化粧部は、接続部材に対して嵌合、係合等によって取り付けられても、接続部材上に載置される態様のいずれであっても良い。
接続部材は、長手方向の両端を下方へ折曲させて、侵入水の排水と水切りをし易くしても良く、また、流水空間を形成している保持部材との当接部分に止水材を配しても良い。
縦葺外装材の流れ方向端部が挿入可能な溝部は、排水部または排水部材に一体に設けられても良いし、化粧部または化粧部材に設けられても良い。
溝部を設ける場合、少なくとも一方の縦葺外装材の端部が挿入可能な溝部を設ければ良く、また、流れ方向に隣り合う縦葺外装材における水上側と水下側の両端部が個々に挿入可能な２つの溝部を設けても良い。
溝部が一方の縦葺外装材端部のみ挿入される態様の場合、他方の縦葺外装材端部は、前記した取付片に係止される態様であっても、化粧部材と排水部材で挟持される態様でも良い。
この溝部に縦葺外装材の端部が挿入されて接続することで、溝部と端部の挿入代により、熱伸縮に柔軟に対応可能となる。
【０００８】
化粧部或いは化粧部材を位置規制、脱落防止して働く起立部は、排水部材から立設するものでも、取付部材から立設するものでも良い。
起立部は、接続部材の長手方向（水勾配に交わる方向）に沿って連続的に設けても、部分的に設けても良い。また、部分的に設ける場合、ピース材として部分的に配しても、連続成形された部材を部分的に切り欠くことで起立部を形成しても良い（例えば、連続形成された取付部材と一体に成形された場合等）。
起立部の上端は化粧部材内に位置する関係にしても良く、化粧部材の取付時の位置決め、熱伸縮時等のズレ防止が確実に行なわれることになる。
保持部材は、縦葺外装材を躯体に取り付ける部材であり、保持部材に流水空間が一体的に形成された態様であっても、保持部材と流水空間すなわち樋部材が別体に形成される態様のいずれでもよい。
下地材は、合成樹脂からなる断熱材であり、縦葺外装材裏面の結露水および接続部分から縦葺外装材の裏面に廻った侵入水を下地材の裏面に侵入させることなく排水空間に排出し得るように、発泡ポリスチレンなどの公知の非透水性部材が適している。
また、下地材は、表面側に雨水等を流水空間に円滑に排出する溝を設けるようにしても良い。
【０００９】
【発明の実施の形態】
図１〜図８には本発明の縦葺外装構造における実施の１形態として縦葺屋根構造を例示している。
建築躯体となる野地板１上にはアスファルトルーフィング等の防水部材２が敷設されており、この防水部材２上には長尺状の樋部材３が軒棟方向に敷かれている。樋部材３は、軒先から棟までに亘る長尺状のもの又は５〜１０ｍ程度の定尺部材を適宜接続してなる長尺状のもので、底面部３ａの中央には水返し台部３ｂが、左右の立ち上げ部３ｃ上縁には水返し部３ｄがそれぞれ形成されており、この樋部材３は、流水空間３ｅ内における水返し台部３ｂを跨ぐようにして載置された保持体４ともどもビス等の固定具５で躯体側に取付固定されている。
そして、左右の樋部材３間には、後で説明する縦葺屋根材１２と同じ長さの定尺状の断熱材６が敷設されている。流れ方向（軒棟方向）に隣り合う断熱材６は、水下側の断熱材６棟側の上面部における段部６ａと、水上側の断熱材６の軒側端部６ｂとで、流れ方向と交叉する方向に長い凹段部７を形成していて、この凹段部７内には接続部材８が嵌合状に納められている。断熱材６の上面には溝部６ｃが形成されていて、結露水や侵入水などを断熱材左右側縁へ導いて同側縁から樋部材３の流水空間３ｅに排出し得るようにしてある。
【００１０】
保持体４はピース材で、座部４ａの左右には起立部４ｂが対向状に立設されていて、この左右の起立部４ｂにおける上縁近く外側には顎状被嵌合係止部４ｃがそれぞれ形成されていると共に、座部４ａの左右側縁には回動規制立上部４ｄが起立部４ｂとそれぞれ対向状に立設され、且つ、左右の回動規制立上部４ｄ上縁にはそれぞれ外側へ水平状に伸びる支持部４ｅが延設されている。
そして、左右の回動規制立上部４ｄは、後で説明する縦葺屋根材１２の組み付け状態において、縦葺屋根材１２に負圧（屋根材を引き上げる力）が作用して、負圧力が樋部１２ｇの内側壁１２ｈに段違い部１２ｆを経て負荷された際に、顎状被嵌合係止部４ｃを軸中心として回動しようとする内側壁１２ｈの動きを、この内側壁１２ｈ下方と当接することで回動阻止して働く態様に形成してある。内側壁１２ｈの具体的な動きは、顎状被嵌合係止部４ｃと縦葺屋根材１２の嵌合係止部１２ｊとの接点を軸中心として回動しようとする動きであり、顎状被嵌合係止部４ｃを軸中心とする動きになる。この保持体４における座部４ａの一部と起立部４ｂと回動規制立上部４ｄで形成されている左右の嵌合凹部４ｆには、左右に隣り合う縦葺屋根材１２の左右の樋部１２ｇがそれぞれ嵌合されていて嵌合係止状態に組み付けられている。
【００１１】
接続部材８は、別体の排水部材９と取付部材１０と化粧部材１１からなり、排水部材９は、流れ方向と交叉する桁行き方向の長さが左右の樋部材の水返し部３ｄ上に跨る長さ比で、流れ方向の幅が凹段部７と同幅比の略樋状に形成されている。この排水部材９における排水空間９ａを形成している水上側壁部９ｃ上縁には水上側へ向けて折り曲げられた上フランジ部９ｅが、水下側壁部９ｄ上縁には水下側へ向けて折り曲げられた下フランジ部９ｆが、それぞれ形成されていると共に、底面部９ｂには、桁行き方向に平行状の一対の突条９ｇが突設されている。また、底面部９ｂにおける両端には折り下げ部９ｈがそれぞれ形成されていると共に、この折下げ部９ｈまで水上側壁部９ｃおよび水下側壁部９ｄの両端部が延びていて、排水空間９ａ内に侵入した結露水や雨水が折り下げ部９ｈおよび水下側壁部９ｄ両端部の延長部分９ｄ１さらに水上側壁部９ｃ両端部の延長部分９ｃ１からも樋部材３の流水空間３ｅへ導かれるようにしてある。
この排水部材９は、凹段部７内に嵌合状に収められた状態で、左右の樋部材３間に跨り架設されており、上フランジ部９ｅが水上側の断熱材６上面に、下フランジ部９ｆが断熱材６上面に、それぞれ載乗していて、排水空間９ａ内が溢れるようなことがあった場合でも、水下側の断熱材６上面に誘導して、同上面の溝部６ｃから流水空間３ｅへ排出し得るようにしてある。そして、排水部材９の折り下げ部９ｈおよび延長部分９ｃ１、９ｄ１は流水空間３ｅ内に臨み出ていて、排水空間９ａから流水空間３ｅへの排水が確実に行われるようにしてある。
【００１２】
取付部材１０は、排水部材９と略同等の長さ比に形成されており、底部１０ａの水下側立上部１０ｂ上部には水上側に向けて水平状の取付片１０ｃが縦葺屋根材１２の係止片１２ｄと係止可能に延設されていると共に、この水下側立上部１０ｂ上端と取付片１０ｃ基部上面には止水突条部１０ｄが縦葺屋根材１２の裏貼り材１２ｂと密接状に噛合可能に突設されている。また、底部１０ａの水上側立上部１０ｅ中央部分には切欠き部１０ｆが設けられていて、この切欠き部１０ｆスペースを使って縦葺屋根材１２の係止片１２ｄを水下側へ折り曲げて取付片１０ｃに係止可能にしてある。また、水上側立上部１０ｅは、化粧部材１１の流れ方向の位置関係を固定して働く。
この取付部材１０は、排水部材９の底面部９ｂにおける突条９ｇ間に載置されて、排水空間９ａ内における位置・姿勢関係を同空間の略中央位置にあって流れ方向と直交した向きに規制された状態で、両端が流水空間３ｅに臨み出ていて、屋根面の傾斜が急勾配である際の流れ方向の縦葺屋根材１２の接続部分からの侵入水を、底部１０ａおよび水下側立上部１０ｂで誘導して流水空間３ｅへ排水し得るようにしてある。そして、取付片１０ｃには、縦葺屋根材１２水上側端の係止片１２ｄが係止していると共に、この係止状態に化粧部材１１で押え込まれている。
【００１３】
化粧部材１１は、左右の保持体４の支持部４ｅ上に跨る長さ比に形成されていて、化粧面部１１ａの水下側縁には、同側縁から裏面側に折り返された押え部１１ｂが縦葺屋根材１２の係止片１２ｄを係止状態に押え可能に形成されていると共に、押え部１１ｂ先端からは脚部１１ｃが係止片１２ｄと取付部材１０の水上側立上部１０ｅとの間に差し込み可能に垂設されている。また、化粧面部１１ａの水上側縁の裏面側には、同側縁から裏面側に折り返された後に若干の空間を残して再度裏面側へ折り返されて形成された取付溝部１１ｄが設けられている。そして、水下側の脚部１１ｃと水上側の取付溝部１１ｄとの隙間・間隔は、脚部１１ｃが係止片１２ｄと水上側立上部１０ｅとの間に差し込まれて、押え部１１ｂが係止片１２ｄを取付片１０ｃとの係止状態に押え込んだ状態で、脚部１１ｃが水上側立上部１０ｅを水下側から、取付溝部１１ｄが水上側立上部１０ｅを水上側から、それぞれ挟持するように位置することで、取付部材１０に対する化粧部材１１の流れ方向のズレ動きが生じないようにしてある。化粧部材１１両端の被押え部１１ｅは、後で説明するカバー部材１３左右側縁の押え部１３ｂの高さ分だけ化粧面部１１ａよりも低く形成されており、被押え部１１ｅがカバー部材１３の押え部で押え込まれた状態で、化粧面部１１ａとカバー面部１３ａが同一水平面状になるようにしてある。
この化粧部材１１は、脚部１１ｃが係止片１２ｄと水上側立上部１０ｅとの間に差し込まれていて、押え部１１ｂで係止片１２ｄを取付片１０ｃとの係止状態に押え込んでいると共に、取付溝部１１ｄに水上側の縦葺屋根材１２の係止縁部１２ｅが流れ方向にスライド可能に挿入されていて、流れ方向の縦葺屋根材１２の接続部分を接続状態に被覆している。そして、化粧部材１１両端の被押え部１１ｅは、カバー部材１３の押え部１３ｂで保持体４に一体的に押え付けられていて、流れ方向の縦葺屋根材１２の接続部分を、屋根材の流れ方向のズレ動きを阻止して且つ屋根材そのものの流れ方向の熱伸縮を妨げない接続状態に被覆・固定している。
【００１４】
縦葺屋根材１２は、軒棟方向に長尺な定尺状のもので、断熱材などの裏貼り材１２ｂが貼着されている屋根面部１２ａの水上側端部には、一段低い段違い部１２ｃを経て左右一対の舌状係止片１２ｄが、水下側端部には、一段低い係止縁部１２ｅが、それぞれ形成されている。水下側の段違い部１２ｃは化粧部材１１の押え部１１ｂの高さ分だけ屋根面部１２ａよりも低く形成されている。
この縦葺屋根材１２は、水上側の左右一対の係止片１２ｄが裏面・水下側に折り曲げられた状態で取付片１０ｃと係止していると共に、水下側の係止縁部１２ｅが取付溝部１１ｄに挿入・係止して葺かれている。
【００１５】
また、縦葺屋根材１２における屋根面部１２ａの左右側縁には、一段低い段違い部１２ｆを経て樋部１２ｇが垂設されている。段違い部１２ｆはカバー部材１３左右側縁の押え部１３ｂの高さ分だけ屋根面部１２ａよりも低く形成されている。左右の樋部１２ｇは、段違い部１２ｆの外側縁から折り下げられていて、且つ、回動規制立上部４ｄと接触又は若干の隙間を経て隣り合う内側壁１２ｈと、この内側壁１２ｈ下縁より外側へ折り返されていて、高さが内側壁１２ｈよりも低い外側壁１２ｉとからなる断面略Ｖ字状の左右対称状に形成されている。
外側壁１２ｉには同壁上縁から内側へ略水平状に折り曲げられている嵌合係止部１２ｊが顎状被嵌合係止部４ｃと弾性嵌合係止状態に取り付け可能に形成されていると共に、この嵌合係止部１２ｊには同部先縁から外側斜め上向きに折り返されている突縁部１２ｋが形成されていて、この突縁部１２ｋの内側壁１２ｈ側への可動により嵌合係止部１２ｊと顎状被嵌合係止部４ｃとの嵌合係止状態が解除されるようにしてある。突縁部１２ｋと起立部４ｂの関係は、顎状被嵌合係止部４ｃと嵌合係止部１２ｊとの接点が確実に得られて、顎状被嵌合係止部４ｃを軸中心とする内側壁１２ｈの動きを妨げないようにしてある。また、突縁部１２ｋ先端はカバー部材１３裏面の裏貼り材１３ｄに密接状に噛合している。
左右の樋部１２ｇは嵌合凹部４ｆにそれぞれ嵌合されていて、内側壁１２ｈが回動規制立上部４ｄと接触又は若干の隙間を残して隣接していると共に、嵌合係止部１２ｊが顎状被嵌合係止部４ｃに嵌合係止しており、縦葺屋根材１２に負圧力が作用した際における顎状被嵌合係止部４ｃを軸中心とした内側壁１２ｈの回動が、接触状又は若干の隙間を経て隣り合う回動規制立上部４ｄに即座に当接することによって即応性良く阻止されていて、嵌合係止部１２ｊは顎状被嵌合係止部４ｃに対して嵌合係止状態に位置規制されている。
【００１６】
カバー部材１３は軒先から棟までに亘る長尺状又は５〜１０ｍ程度の定尺部材を適宜接続してなる長尺状のもので、隣接する縦葺屋根材１２の左右側縁間を覆い可能な幅比にしてあるカバー面部１３ａの左右側縁には、同側縁から裏面側に折り返された押え部１３ｂが形成されていると共に、この左右の押え部１３ｂ内側縁には係止部１３ｃが外側壁１２ｉにおける嵌合係止部１２ｊと背合せ状の被係止部１２ｍへ弾性係止可能にそれぞれ垂設されている。また、係止部１３ｃが被係止部１２ｍに弾性係止することで、顎状被嵌合係止部４ｃと嵌合係止部１２ｊとの嵌合係止状態が強化されている。このカバー部材１３は左右に隣接する縦葺屋根材１２の左右側縁間に装着されており、左右の係止部１３ｃが被係止部１２ｍにそれぞれ弾性係止して、左右の押え部１３ｂが化粧部材１１の被押え部１１ｅおよび縦葺屋根材１２の段違い部１２ｆにそれぞれ当接して、カバー面部１３ａおよび化粧面部１１ａが屋根面部１２ａと同一水平面状になっている。
【００１７】
図９には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
取付部材１０は、止水突条部１０ｄおよび水上側立上部１０ｅが除かれて形成されている。この取付部材１０の取付片１０ｃには水下側の縦葺屋根材１２の係止片１２ｄが係止して、同係止状態に化粧部材１１の押え部１１ｂで固定され、取付溝部１１ｄには水上側の縦葺屋根材１２の係止縁部１２ｅが挿入・係止している。
【００１８】
図１０には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
取付部材１０は、取付片１０ｃおよび止水突条部１０ｄを有する第１部材１０ｇと、水上側立上部１０ｅを有する第２部材１０ｈとに分割形成されており、また、排水部材９は、突条９ｇが除かれて形成されている。第１および第２部材１０ｇ、１０ｈは排水空間９ａ内にあって、取付片１０ｃには係止片１２ｄが係止して、化粧部材１１における脚部１１ｃと取付溝部１１ｄ間には水上側立上部１０ｅが介在している。この取付部材１０の取付片１０ｃには水下側の縦葺屋根材１２の係止片１２ｄが係止して、同係止状態に化粧部材１１の押え部１１ｂで固定され、取付溝部１１ｄには水上側の縦葺屋根材１２の係止縁部１２ｅが挿入・係止している。
【００１９】
図１１には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
接続部材８は、排水部材９と取付部材１０が同一体に形成されており、水下側立上部１０ｂが水下側壁部９ｄを兼ねる一方で、下フランジ部９ｆが除かれて形成されている。この取付部材１０の取付片１０ｃには水下側の縦葺屋根材１２の係止片１２ｄが係止して、同係止状態に化粧部材１１の押え部１１ｂで固定され、取付溝部１１ｄには水上側の縦葺屋根材１２の係止縁部１２ｅが挿入・係止している。
【００２０】
図１２には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
接続部材８は、排水部材９と取付部材１０が同一体に形成されており、上フランジ部９ｅと下フランジ部９ｆはともに内側斜め上向きに突設されていて、水上側と水下側の縦葺屋根材１２裏面の裏貼り材１２ｂにそれぞれ密接状に噛合している。そして、取付片１０ｃには水下側の縦葺屋根材１２の係止片１２ｄが係止して、同係止状態に化粧部材１１の押え部１１ｂで固定され、取付溝部１１ｄには水上側の縦葺屋根材１２の係止縁部１２ｅが挿入・係止している。
【００２１】
図１３には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
排水部材９における排水空間９ａ内の略中央部位の支持台部９ｉには取付凹部９ｊが形成されていて、この取付凹部９ｊには取付部材１０が桁行き方向にのみ抜き差し可能に備えられている。取付部材１０は断面略エ字状のもので、水上側の取付溝部１０ｉには水上側の縦葺屋根材１２水下側端における係止縁部１２ｅが、水下側の取付溝部１０ｉには水下側の縦葺屋根材１２水上側端における係止縁部１２ｅが、それぞれ挿入・係止されている。そして、取付部材１０には化粧部材１１が被着されていて、流れ方向の縦葺屋根材１２の接続端部を、屋根材の流れ方向のズレ動きを阻止する一方で、屋根材そのものの流れ方向の熱伸縮を妨げない接続状態に被覆・固定している。
また、排水部材９の上フランジ部９ｅと下フランジ部９ｆはともに内側斜め上向きに突設されていて、水上側と水下側の縦葺屋根材１２裏面の裏貼り材１２ｂにそれぞれ密接状に噛合している。水下側の取付溝部１０ｉ内における係止縁部１２ｅと化粧部材１１の返し部分間には防水シール１４が設けられ、雨仕舞能力が高められている。
【００２２】
図１４には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
接続部材８は、別体の排水部材９と化粧部材１１で構成されている。排水部材９は、上フランジ部９ｅと下フランジ部９ｆがともに内側斜め上向きに突設されていて、水上側と水下側の縦葺屋根材１２裏面の裏貼り材１２ｂにそれぞれ密接状に噛合している。排水部材９の底面部９ｂには、起立部９ｋが水上側と水下側に対向状に立設されていて、この起立部９ｋにおける上縁近く内側には顎状被嵌合係止部９ｍがそれぞれ形成されていると共に、起立部９ｋ内側に位置する回動規制立上部９ｎが起立部９ｋとそれぞれ対向状に立設され、且つ、左右の回動規制立上部９ｎ上縁にはそれぞれ内側へほぼ水平状に伸びる支持部９ｐが延設されている。
この排水部材９における底面部９ｂの一部と起立部９ｋと回動規制立上部９ｎで形成されている左右の嵌合凹部９ｒには、化粧部材１１の水上側と水下側の樋部１１ｆがそれぞれ嵌合されて嵌合・係止状態に予め組み付けられていると共に、化粧部材１１の水上側の取付溝部１１ｄには水上側の縦葺屋根材１２水下側端における係止縁部１２ｅが、水下側の取付溝部１１ｄには水下側の縦葺屋根材１２水上側端における係止縁部１２ｅが、それぞれ挿入・係止されて流れ方向に接続されている。この取付溝部１１ｄと係止縁部１２ｅとの係止部分は支持部９ｐで支持されている。
そして、回動規制立上部９ｎは、縦葺屋根材１２に負圧（屋根材を引き上げる力）が作用して、負圧力が化粧部材１１を経て負荷された際に、顎状被嵌合係止部９ｍを軸中心とした樋部１１ｆの内側壁１１ｇの回動が、接触状又は若干の隙間を経て隣り合う回動規制立上部９ｎに即座に当接することによって即応性良く阻止されていて、樋部１１ｆの外側壁１１ｈの嵌合係止部１１ｉは顎状被嵌合係止部９ｍに対して嵌合係止状態に位置規制されている。
また、水上側と水下側の双方の取付溝部１１ｄ内には係止縁部１２ｅとの間に防水シール１４が設けられ、雨仕舞能力が高められている。
【００２３】
図１５には本発明の縦葺外装構造における実施の他の１形態として縦葺屋根構造を例示しており、構成は前記した図１４の態様のものと基本的に同一であるため、共通している構成の説明は符合を準用して省略し、相違する構成について説明する。
排水部材９は、排水空間９ａ内の底面部９ｂに支持台部９ｓが突設されていて、この支持台部９ｓと化粧部材１１の押え部１１ｂとの間には水上側の縦葺屋根材１２における水下側端の係止縁部１２ｅが挿入状態に挟持されていると共に、支持台部９ｓの水下側に形成された顎部９ｔには押え部１１ｂから垂下状の鍔部１１ｊが係合して、前記挟持関係に固定している。また、挟持された係止縁部１２ｅ先端から垂設されている位置規制部１２ｎは、支持台部９ｓと鍔部１１ｊとの間に介在して、係止縁部１２ｅの挟持・固定状態が維持されるようにしている。
そして、化粧部材１１における水下側の取付溝部１１ｄには水下側の縦葺屋根材１２水上側端の係止縁部１２ｅが挿入・係止されており、この取付溝部１１ｄから垂設された略Ｕ字状の支持脚部１１ｋは底面部９ｂに載乗していると共に、支持脚部１１ｋの先端部１１ｍは水下側の縦葺屋根材１２裏面の裏貼り材１２ｂに密接状に噛合している。また、底面部９ｂにおける支持台部９ｓの水下側には、支持脚部１１ｋの水下側脇に位置する位置決め突部９ｘが立設されていて、この位置決め突部９ｘと支持台部９ｓとで化粧部材１１の流れ方向の位置関係を位置決めし且つズレ動きがないように固定している。
【００２４】
図１６には本発明の縦葺外装構造における実施の他の１形態として縦葺屋根構造を例示しており、構成は前記した図１５の態様のものと基本的に同一であるため、共通している構成の説明は符合を準用して省略し、相違する構成について説明する。
排水部材９は、底面部９ｂにおける支持台部９ｓの水下側に、化粧部材１１の流れ方向の位置関係を固定して働く位置決め立上部９ｕが突設されており、支持台部９ｓと化粧部材１１の押え部１１ｂとの間には水上側の縦葺屋根材１２における水下側端の係止縁部１２ｅが挿入状態に挟持されていると共に、位置決め立上部９ｕの水上側に形成された顎部９ｔには押え部１１ｂから垂下状の鍔部１１ｊが係合して、前記挟持関係に固定している。また、挟持された係止縁部１２ｅ先端から垂設されている位置規制部１２ｎは、支持台部９ｓと鍔部１１ｊとの間に介在して、係止縁部１２ｅの挟持・固定状態が維持されるようにしている。
そして、化粧部材１１における水下側の取付溝部１１ｄには水下側の縦葺屋根材１２水上側端の係止縁部１２ｅが挿入・係止されており、この取付溝部１１ｄから垂設された支持足部１１ｎは底面部９ｂに載乗している。
【００２５】
図１７には本発明の縦葺外装構造における実施の他の１形態として縦葺屋根構造を例示しており、構成は前記した図１の態様のものと基本的に同一であるため、共通している構成の説明は符合を準用して省略し、相違する構成について説明する。
凹段部７は、水上側と水下側の断熱材６間に別体の薄い断熱材１５を敷設することによって形成されており、この凹段部７内の排水部材９における水上側壁部９ｃ上端および水下側壁部９ｄ上端からそれぞれ内側斜め上向きに突出されている突起部９ｖは縦葺屋根材１２裏面の裏貼り材１２ｂと密接状に噛合している。そして、排水空間９ａ内の底面部９ｂにおける流れ方向の略中央部位には取付係合部９ｗが形成されていて、この取付凹部９ｗには取付部材１０が桁行き方向にのみ抜き差し可能に備えられている。
取付部材１０は、水上側と水下側の取付片１０ｃが内側に対向して配設されており、水上側の取付片１０ｃには水上側の縦葺屋根材１２水下側端における係止片１２ｄが、水下側の取付片１０ｃには水下側の縦葺屋根材１２水上側端における係止片１２ｄが、それぞれ係止されている。そして、取付片１０ｃに対する係止片１２ｄの係止状態は、化粧部材１１の押え部１１ｂによって固定されている。化粧部材１１は、係合鍔部１１ｐが取付部材１０の被係合部１０ｊに係合されていることで、流れ方向の縦葺屋根材１２の接続端部を、屋根材の流れ方向のズレ動きが阻止された接続状態に被覆・固定している。
【００２６】
次に、図１〜図８に例示した縦葺屋根構造の施工例を工程順に説明する。
第１段階
野地板１上に防水部材２を敷き、防水部材２上に樋部材３を軒棟方向に敷設して、流水空間３ｅ内の保持体４ともどもビス等の固定具５で躯体側に取付固定する。この左右の樋部材３間に断熱材６を敷いて、流れ方向（軒棟方向）に隣り合う断熱材６の凹段部７内に排水部材９を、両端部が左右の樋部材３の水返し部３ｄ上に跨って載乗した状態に、嵌合状に納めて、折り下げ部９ｈを流水空間３ｅ内へ臨み出させる。
第２段階
水下側の縦葺屋根材１２水上側端の係止片１２ｄを取付部材１０の取付片１０ｃに係止させた後、樋部１２ｇを保持体４の嵌合凹部４ｆに嵌合させて、排水部材９の底面部９ｂにおける突条９ｇ間に取付部材１０を載置する。この取付部材１０底面には接着層が形成されていて底面部９ｂに接着固定される。次に、水上側の縦葺屋根材１２水下側端に化粧部材１１を、その取付溝部１１ｄに係止縁部１２ｅを挿入・係止させて取付ける。
第３段階
化粧部材１１の脚部１１ｃを係止片１２ｄと水上側立上部１０ｅとの間に差し込むと共に、樋部１２ｇを嵌合凹部４ｆに嵌合する。然る後に、カバー部材１３の係止部１３ｃを被係止部１２ｍにそれぞれ弾性係止して、左右に隣接する縦葺屋根材１２の左右側縁間に装着して、左右の押え部１３ｂで化粧部材１１の被押え部１１ｅおよび縦葺屋根材１２の段違い部１２ｆを上側から強制的に押え込み、カバー面部１３ａおよび化粧面部１１ａそして屋根面部１２ａを同一水平面状に葺いている。
前記した施工法において、取付部材１０を先に排水部材９に載置して、その後に、取付片１０ｃに係止片１２ｄを取り付けて施工するようにしても良い。
【００２７】
【発明の効果】
Ａ．請求項１により、縦葺外装材を、工場生産可能で、成形手間およびコストの負担が少なく、仮に、少々の成形誤差や変形・潰れ等があっても容易に確実に施工することができ、また、不陸等があっても、縦葺外装材における水上側端および水下側端の両端を化粧部にて押え付けているから、口開き現象が起こるようなことがない。
Ｂ．請求項２により、さらに、流れ方向の接続部分における縦葺外装材の取付け・接続作業が容易で、縦葺外装材の加工が単純で生産効率が高くコストが低い。
Ｃ．請求項３により、さらに、縦葺外装材の長手方向の接続部分における接続作業が単純且つ簡単であると共に、長手方向の熱伸縮性が極めて高い。
Ｄ．請求項４により、さらに、流れ方向の接続部分に２重の排水能力を有する。
Ｅ．請求項５により、さらに、仮に、長手方向の接続部分内でオーバーフローが起きても、このオーバーフロー水を左右の縦葺外装材の接続部分を経て水下側へ排水可能である。
【図面の簡単な説明】
【図１】本発明の縦葺外装構造における実施の１形態として縦葺屋根構造を例示している斜視図。
【図２】図１の（２）−（２）拡大縦断面図。
【図３】図１の（３）−（３）拡大縦断面図。
【図４】縦葺屋根材の斜視図。
【図５】断熱材の拡大斜視図。
【図６】排水部材の拡大斜視図。
【図７】取付部材の拡大斜視図。
【図８】化粧部材の拡大斜視図。
【図９】本発明の縦葺外装構造における実施の他の１形態として縦葺屋根構造を例示して拡大縦断面図。
【図１０】本発明の縦葺外装構造における実施の他の１形態として縦葺屋根構造を例示して拡大縦断面図。
【図１１】本発明の縦葺外装構造における実施の他の１形態として縦葺屋根構造を例示して拡大縦断面図。
【図１２】本発明の縦葺外装構造における実施の他の１形態として縦葺屋根構造を例示して拡大縦断面図。
【図１３】本発明の縦葺外装構造における実施の他の１形態として縦葺屋根構造を例示して拡大縦断面図。
【図１４】本発明の縦葺外装構造における実施の他の１形態として縦葺屋根構造を例示して拡大縦断面図。
【図１５】本発明の縦葺外装構造における実施の他の１形態として縦葺屋根構造を例示して拡大縦断面図。
【図１６】本発明の縦葺外装構造における実施の他の１形態として縦葺屋根構造を例示して拡大縦断面図。
【図１７】本発明の縦葺外装構造における実施の他の１形態として縦葺屋根構造を例示して拡大縦断面図。
【符号の説明】
１  野地板１
２  防水部材
３  樋部材（保持部材）
３ａ  底面部
３ｂ  水返し台部
３ｃ  立ち上げ部
３ｄ  水返し部
３ｅ  流水空間
４  保持体（保持部材）
４ａ  座部
４ｂ  起立部
４ｃ  顎状被嵌合係止部
４ｄ  回動規制立上部
４ｅ  支持部
４ｆ  嵌合凹部
５  固定具
６、１５  断熱材
６ａ  段部
６ｂ  軒側端部
６ｃ  溝部
７  凹段部
８  接続部材
９  排水部材（排水部）
９ａ  排水空間
９ｂ  底面部
９ｃ  水上側壁部
９ｃ１、９ｄ１  延長部分
９ｄ  水下側壁部
９ｅ  上フランジ部
９ｆ  下フランジ部
９ｇ  突条
９ｈ  折り下げ部
９ｉ  支持台部
９ｊ  取付凹部
９ｋ  起立部
９ｍ  顎状被嵌合係止部
９ｎ  回動規制立上部
９ｐ  支持部
９ｒ  嵌合凹部
９ｓ  支持台部
９ｔ  顎部
９ｕ  位置決め立上部
９ｖ  突起部
９ｗ  取付係合部
９ｘ  位置決め突部
１０  取付部材
１０ａ  底部
１０ｂ  水下側立上部
１０ｃ  取付片（取付部）
１０ｄ  止水突条部
１０ｅ  水上側立上部
１０ｆ  切欠き部
１０ｇ  第１部材
１０ｈ  第２部材
１０ｉ、１１ｄ  取付溝部（取付部）
１１  化粧部材（化粧部）
１１ａ  化粧面部
１１ｂ  押え部
１１ｃ  脚部
１１ｄ  取付溝部（取付部）
１１ｅ  被押え部
１１ｆ  樋部
１１ｇ  内側壁
１１ｈ  外側壁
１１ｉ  嵌合係止部
１１ｊ  鍔部
１１ｋ  支持脚部
１１ｍ  先端部
１１ｎ  支持足部
１１ｐ  係合鍔部
１２  縦葺屋根材（縦葺外装材）
１２ａ  屋根面部
１２ｂ  裏貼り材
１２ｃ、１２ｆ  段違い部
１２ｄ  係止片
１２ｅ  係止縁部
１２ｇ  樋部
１２ｈ  内側壁
１２ｉ  外側壁
１２ｊ  嵌合係止部
１２ｋ  突縁部
１２ｍ  被係止部
１２ｎ  位置規制部
１３  カバー部材
１３ａ  カバー面部
１３ｂ  押え部
１３ｃ  係止部
１３ｄ  裏貼り材
１４  接着剤
【図１】
0003584202.tif 000002
【図２】
0003584202.tif 000003
【図３】
0003584202.tif 000004
【図４】
0003584202.tif 000005
【図５】
0003584202.tif 000006
【図６】
0003584202.tif 000007
【図７】
0003584202.tif 000008
【図８】
0003584202.tif 000009
【図９】
0003584202.tif 000010
【図１０】
0003584202.tif 000011
【図１１】
0003584202.tif 000012
【図１２】
0003584202.tif 000013
【図１３】
0003584202.tif 000014
【図１４】
0003584202.tif 000015
【図１５】
0003584202.tif 000016
【図１６】
0003584202.tif 000017
【図１７】
0003584202.tif 000018